【手続補正書】
【提出日】平成24年11月22日(2012.11.22)
【手続補正１】
【補正対象書類名】特許請求の範囲
【補正対象項目名】全文
【補正方法】変更
【補正の内容】
【特許請求の範囲】
【請求項１】
減圧治療システムであって、
外縁と、上面と、下面と、少なくとも１つの開口部とを備えるカバー構造と、
該カバー構造の該下面に取り付けられた流動性接着剤層であって、該流動性接着剤層は、少なくとも約０．２ｍｍの厚さを有する流動性接着剤層と、
電動でない自己生成真空源と
を備える、減圧治療システム。
【請求項２】
前記真空源に取り付くように構成される配管をさらに備える、請求項１に記載の減圧治療システム。
【請求項３】
前記真空源は、前記カバー構造と一体的に形成される、請求項１に記載の減圧治療システム。
【請求項４】
前記カバー構造は、少なくとも該カバー構造の前記上面に取り付けられるポート部材をさらに備える、請求項２に記載の減圧治療システム。
【請求項５】
前記流動性接着剤層は、吸湿性の流動性接着剤層を備える、請求項１に記載の減圧治療システム。
【請求項６】
前記接着剤層は、少なくとも９００ｇ／ｍ２／日の吸水速度を有する、請求項５に記載の減圧治療システム。
【請求項７】
前記接着剤層は、少なくとも１０００ｇ／ｍ２／日の吸水速度を有する、請求項５に記載の減圧治療システム。
【請求項８】
前記接着剤層は、少なくとも１１００ｇ／ｍ２／日の吸水速度を有する、請求項５に記載の減圧治療システム。
【請求項９】
前記接着剤層は、少なくとも１２００ｇ／ｍ２／日の吸水速度を有する、請求項５に記載の減圧治療システム。
【請求項１０】
前記流動性接着剤層は、少なくとも約０．３ｍｍの厚さを有する、請求項１に記載の減圧治療システム。
【請求項１１】
前記流動性接着剤層は、少なくとも約０．５ｍｍの厚さを有する、請求項１に記載の減圧治療システム。
【請求項１２】
前記流動性接着剤層は、少なくとも約０．７ｍｍの厚さを有する、請求項１に記載の減圧治療システム。
【請求項１３】
前記流動性接着剤層は、少なくとも約１ｍｍの厚さを有する、請求項１に記載の減圧治療システム。
【請求項１４】
前記流動性接着剤層は、少なくとも約１．５ｍｍの厚さを有する、請求項１に記載の減圧治療システム。
【請求項１５】
前記流動性接着剤層は、約２０，０００センチポアズ乃至約５０，０００センチポアズの範囲内の粘度を有する、請求項１に記載の減圧治療システム。
【請求項１６】
前記流動性接着剤層は、約１０，０００センチポアズ乃至約１００，０００センチポアズの範囲内の粘度を有する、請求項１に記載の減圧治療システム。
【請求項１７】
減圧治療システムであって、
外縁と、上面と、下面と、少なくとも１つの開口部とを備えるカバー構造と、
該カバー構造の該上面に取り付けられるポート部材であって、該カバー構造の該少なくとも１つの開口部と連通している少なくとも１つのポート管腔を備えるポート部材と、
該カバー構造の該下面に取り付けられる親水コロイド層であって、該親水コロイド層は、少なくとも約０．２ｍｍの厚さを有する親水コロイド層と
を備える、システム。
【請求項１８】
前記親水コロイド層は、前記カバー構造の前記外縁の付近に厚さ低減領域を備える、請求項１７に記載の減圧治療システム。
【請求項１９】
前記厚さ低減領域は、エンボス加工または圧縮領域を備える、請求項１７に記載の減圧治療システム。
【請求項２０】
前記厚さ低減領域は、前記親水コロイド層の内部領域に対して増加した密度を備える、請求項１７に記載の減圧治療システム。
【請求項２１】
前記カバー構造上に視覚に訴える格子マーキングをさらに備える、請求項１７に記載の減圧治療システム。
【請求項２２】
前記ポート部材は、基部と、該基部に対して回転するように構成される本体とをさらに備える、請求項１７に記載の減圧治療システム。
【請求項２３】
前記ポート部材の前記基部は、前記カバー構造の前記上面に接着される、請求項１７に記載の減圧治療システム。
【請求項２４】
配管をさらに備え、前記配管は、外壁と、近位端と、遠位端と、その間の少なくとも１つの管腔と、縦管腔軸と、該縦管腔軸を横断する第１の寸法と、該第１の寸法および該縦管腔軸を横断する第２の寸法とを備える、請求項１７に記載の減圧治療システム。
【請求項２５】
前記配管は、前記ポート部材に取り付くように構成される、請求項２４に記載の減圧治療システム。
【請求項２６】
前記配管は、前記ポート部材と一体的に形成される、請求項２４に記載の減圧治療システム。
【請求項２７】
前記第１の寸法は、前記第２の寸法よりも大きいサイズである、請求項２４に記載の減圧治療システム。
【請求項２８】
前記第１の寸法は、前記第２の寸法の少なくとも２倍のサイズである、請求項２４に記載の減圧治療システム。
【請求項２９】
前記第１の寸法は、前記第２の寸法の少なくとも３倍のサイズである、請求項２４に記載の減圧治療システム。
【請求項３０】
前記第１の寸法は、前記第２の寸法の少なくとも４倍のサイズである、請求項２４に記載の減圧治療システム。
【請求項３１】
前記配管は、略平面の構成の複数の管腔を備える、請求項２４に記載の減圧治療システム。
【請求項３２】
前記少なくとも１つのポート管腔は、円形でない断面構成を有する、請求項１に記載の減圧治療システム。
【請求項３３】
前記少なくとも１つのポート管腔は、少なくとも１つの管腔突起部をさらに備える、請求項３２に記載の減圧治療システム。
【請求項３４】
前記少なくとも１つの管腔突起部は、複数の縦方向隆起を備える、請求項３３に記載の減圧治療システム。
【請求項３５】
前記配管は、該配管の少なくとも１つの管腔と外壁との間に連通を提供する、少なくとも１つの側方通路をさらに備える、請求項２４に記載の減圧治療システム。
【請求項３６】
前記配管の外面に密封され、前記少なくとも１つの側方通路を覆う弾性構造をさらに備える、請求項３５に記載の減圧治療システム。
【請求項３７】
前記弾性構造は、スリーブ構造である、請求項３６に記載の減圧治療システム。
【請求項３８】
前記弾性構造は、内面によって構成され、該内面は、大気圧に暴露されると前記配管の前記外壁から第１の距離で離間され、減圧に暴露されると該第１の距離よりも短い第２の距離で離間される、請求項３７に記載の減圧治療システム。
【請求項３９】
前記ポート部材は、弾性材料を備える、請求項１７に記載の減圧治療システム。
【請求項４０】
前記弾性材料の少なくとも一部は、前記少なくとも１つのポート管腔内の内圧レベルが大気圧よりも少なくとも−５０ｍｍＨｇ低いときに、該少なくとも１つのポート管腔の中へと変形するように構成される、請求項３９に記載の減圧治療システム。
【請求項４１】
前記カバー構造は、補強構造をさらに備える、請求項１７に記載の減圧治療システム。
【請求項４２】
前記補強構造は、前記カバー構造と一体的に形成される、請求項４１に記載の減圧治療システム。
【請求項４３】
前記補強構造は、前記カバー構造の前記上面にある第１の隆起構造であって、前記ポート部材を包囲している第１の隆起構造を備える、請求項４２に記載の減圧治療システム。
【請求項４４】
前記第１の隆起構造を包囲する第２の隆起をさらに備える、請求項４３に記載の減圧治療システム。
【請求項４５】
前記第１の隆起構造は、分節隆起構造である、請求項４３に記載の減圧治療システム。
【請求項４６】
前記補強構造は、カバー構造内に埋設される、請求項４１に記載の減圧治療システム。
【請求項４７】
前記カバー構造は、カバー材料を備え、前記補強構造は、該カバー材料よりも増加したデュロメータを有する補強材料を備える、請求項４１に記載の減圧治療システム。
【請求項４８】
前記補強構造は、格子状の補強構造を備える、請求項１７に記載の減圧治療システム。
【請求項４９】
前記補強構造は、放射状のスポーク構造を備える、請求項１７に記載の減圧治療システム。
【請求項５０】
前記親水コロイド層の少なくとも一部に解放可能に接着される解放層をさらに備える、請求項１７に記載の減圧治療システム。
【請求項５１】
前記解放層は、前記親水コロイド層の中心部に解放可能に接着される、請求項５０に記載の減圧治療システム。
【請求項５２】
前記親水コロイド層の少なくとも周辺部に解放可能に接着され、該親水コロイド層と前記解放層との間に位置する少なくとも１つのハンドル層をさらに備える、請求項５１に記載の減圧治療システム。
【請求項５３】
前記カバー構造の前記上面に取外し可能に取り付けられる接着剤担体構造をさらに備える、請求項５０に記載の減圧治療システム。
【請求項５４】
前記接着剤担体構造は、第１の担体層と、第２の担体層と、その間の非直線の界面とを備える、請求項５３に記載の減圧治療システム。
【請求項５５】
前記接着剤担体構造は、前記ポート部材を包囲する中心開口部を備える、請求項５３に記載の減圧治療システム。
【請求項５６】
前記中心開口部は、前記ポート部材から離間している、請求項５３に記載の減圧治療システム。
【請求項５７】
前記中心開口部は、前記ポート部材から少なくとも１ｃｍ離間している、請求項５６に記載の減圧治療システム。
【請求項５８】
前記親水コロイド層は、前記カバー構造の内部領域付近よりも該カバー構造の前記外縁付近においてより大きいプローブ粘着力を有する、請求項１７に記載の減圧治療システム。
【請求項５９】
前記親水コロイド層は、前記カバー構造の内部領域付近よりも該カバー構造の前記外縁付近においてより大きい解放力を有する、請求項１７に記載の減圧治療システム。
【請求項６０】
前記カバー構造に対する前記ポート部材の最大垂直寸法は、該最大垂直寸法を横断する該ポート部材の最大横寸法よりも小さい、請求項１７に記載の減圧治療システム。
【請求項６１】
前記カバー構造に対する前記ポート部材の最大垂直寸法は、該最大垂直寸法を横断する該ポート部材の最大横寸法よりも少なくとも５０％小さい、請求項１７に記載の減圧治療システム。
【請求項６２】
前記配管は、一方向逆止弁をさらに備える、請求項２４に記載の減圧治療システム。
【請求項６３】
皮膚位置の減圧治療を行うためのシステムであって、
皮膚位置に適用されるように構成されるドレッシングと、
該皮膚位置に適用されるように構成されるマスクであって、該マスクは、内縁と、外縁とを備える、マスクと、
該ドレッシングおよび該皮膚位置に適用されるように構成される液体シーラントと
を備え、
該マスクは、さらに、該皮膚位置から除去されるように構成される、システム。
【請求項６４】
前記マスクは、前記皮膚位置の縁から該マスクの内縁を離間させるように選択される、請求項６３に記載のシステム。
【請求項６５】
前記皮膚位置に設置されるように構成される接触材料をさらに備え、該皮膚位置は、開放創である、請求項６３に記載のシステム。
【請求項６６】
前記液体シーラントが前記ドレッシングに適用された後に、該液体シーラント上に設置されるように構成されるメッシュ材料をさらに備える、請求項６３に記載のシステム。
【請求項６７】
前記皮膚位置から前記マスクが除去された後に、前記液体シーラント上に設置されるように構成されるメッシュ材料をさらに備える、請求項６３に記載のシステム。
【請求項６８】
前記液体シーラントが適用される前に、前記ドレッシング上に設置されるように構成されるメッシュ材料をさらに備える、請求項６３に記載のシステム。
【手続補正２】
【補正対象書類名】明細書
【補正対象項目名】０００８
【補正方法】変更
【補正の内容】
【０００８】
別の実施形態において、皮膚位置の減圧治療を行うための方法であって、皮膚位置にドレッシングを適用するステップと、皮膚位置にマスクを適用するステップであって、マスクは、内縁と、外縁とを備える、ステップと、液体シーラントをドレッシングおよび皮膚位置に適用するステップと、皮膚位置からマスクを除去するステップとを含む方法が提供される。方法はまた、皮膚位置の縁から前記マスクの内縁を離間させるようにマスクを選択するステップをさらに含んでもよい。方法はまた、皮膚位置上に接触材料を設置するステップであって、皮膚位置は開放創である、ステップ、液体シーラントをドレッシングに適用した後、液体シーラント上にメッシュ材料を設置するステップ、皮膚位置からマスクを除去した後、液体シーラント上にメッシュ材料を設置するステップ、または、液体シーラントを適用する前に、ドレッシング上にメッシュ材料を設置するステップをさらに含んでよい。
本発明は、例えば、以下の項目も提供する。
（項目１）
減圧治療システムであって、
外縁と、上面と、下面と、少なくとも１つの開口部とを備えるカバー構造と、
該カバー構造の該下面に取り付けられた流動性接着剤層であって、該流動性接着剤層は、少なくとも約０．２ｍｍの厚さを有する流動性接着剤層と、
電動でない自己生成真空源と
を備える、減圧治療システム。
（項目２）
前記真空源に取り付くように構成される配管をさらに備える、項目１に記載の減圧治療システム。
（項目３）
前記真空源は、前記カバー構造と一体的に形成される、項目１に記載の減圧治療システム。
（項目４）
前記カバー構造は、少なくとも該カバー構造の前記上面に取り付けられるポート部材をさらに備える、項目２に記載の減圧治療システム。
（項目５）
前記流動性接着剤層は、吸湿性の流動性接着剤層を備える、項目１に記載の減圧治療システム。
（項目６）
前記接着剤層は、少なくとも９００ｇ／ｍ２／日の吸水速度を有する、項目５に記載の減圧治療システム。
（項目７）
前記接着剤層は、少なくとも１０００ｇ／ｍ２／日の吸水速度を有する、項目５に記載の減圧治療システム。
（項目８）
前記接着剤層は、少なくとも１１００ｇ／ｍ２／日の吸水速度を有する、項目５に記載の減圧治療システム。
（項目９）
前記接着剤層は、少なくとも１２００ｇ／ｍ２／日の吸水速度を有する、項目５に記載の減圧治療システム。
（項目１０）
前記流動性接着剤層は、少なくとも約０．３ｍｍの厚さを有する、項目１に記載の減圧治療システム。
（項目１１）
前記流動性接着剤層は、少なくとも約０．５ｍｍの厚さを有する、項目１に記載の減圧治療システム。
（項目１２）
前記流動性接着剤層は、少なくとも約０．７ｍｍの厚さを有する、項目１に記載の減圧治療システム。
（項目１３）
前記流動性接着剤層は、少なくとも約１ｍｍの厚さを有する、項目１に記載の減圧治療システム。
（項目１４）
前記流動性接着剤層は、少なくとも約１．５ｍｍの厚さを有する、項目１に記載の減圧治療システム。
（項目１５）
前記流動性接着剤層は、約２０，０００センチポアズ乃至約５０，０００センチポアズの範囲内の粘度を有する、項目１に記載の減圧治療システム。
（項目１６）
前記流動性接着剤層は、約１０，０００センチポアズ乃至約１００，０００センチポアズの範囲内の粘度を有する、項目１に記載の減圧治療システム。
（項目１７）
減圧治療システムであって、
外縁と、上面と、下面と、少なくとも１つの開口部とを備えるカバー構造と、
該カバー構造の該上面に取り付けられ、該カバー構造の該少なくとも１つの開口部と連通している少なくとも１つのポート管腔を備えるポート部材と、
該カバー構造の該下面に取り付けられる親水コロイド層であって、該親水コロイド層は、少なくとも約０．２ｍｍの厚さを有する親水コロイド層と
を備える、システム。
（項目１８）
前記親水コロイド層は、前記カバー構造の前記外縁の付近に厚さ低減領域を備える、項目１７に記載の減圧治療システム。
（項目１９）
前記厚さ低減領域は、エンボス加工または圧縮領域を備える、項目１７に記載の減圧治療システム。
（項目２０）
前記厚さ低減領域は、前記親水コロイド層の内部領域に対して増加した密度を備える、項目１７に記載の減圧治療システム。
（項目２１）
前記カバー構造上に視覚に訴える格子マーキングをさらに備える、項目１７に記載の減圧治療システム。
（項目２２）
前記ポート部材は、基部と、該基部に対して回転するように構成される本体とをさらに備える、項目１７に記載の減圧治療システム。
（項目２３）
前記ポート部材の前記基部は、前記カバー構造の前記上面に接着される、項目１７に記載の減圧治療システム。
（項目２４）
配管をさらに備え、前記配管は、外壁と、近位端と、遠位端と、その間の少なくとも１つの管腔と、縦管腔軸と、該縦管腔軸を横断する第１の寸法と、該第１の寸法および該縦管腔軸を横断する第２の寸法とを備える、項目１７に記載の減圧治療システム。
（項目２５）
前記配管は、前記ポート部材に取り付くように構成される、項目２４に記載の減圧治療システム。
（項目２６）
前記配管は、前記ポート部材と一体的に形成される、項目２４に記載の減圧治療システム。
（項目２７）
前記第１の寸法は、前記第２の寸法よりも大きいサイズである、項目２４に記載の減圧治療システム。
（項目２８）
前記第１の寸法は、前記第２の寸法の少なくとも２倍のサイズである、項目２４に記載の減圧治療システム。
（項目２９）
前記第１の寸法は、前記第２の寸法の少なくとも３倍のサイズである、項目２４に記載の減圧治療システム。
（項目３０）
前記第１の寸法は、前記第２の寸法の少なくとも４倍のサイズである、項目２４に記載の減圧治療システム。
（項目３１）
前記配管は、略平面の構成の複数の管腔を備える、項目２４に記載の減圧治療システム。
（項目３２）
前記少なくとも１つのポート管腔は、円形でない断面構成を有する、項目１に記載の減圧治療システム。
（項目３３）
前記少なくとも１つのポート管腔は、少なくとも１つの管腔突起部を備える、項目３２に記載の減圧治療システム。
（項目３４）
前記少なくとも１つの管腔突起部は、複数の縦方向隆起を備える、項目３３に記載の減圧治療システム。
（項目３５）
前記配管は、該配管の少なくとも１つの管腔と外壁との間に連通を提供する、少なくとも１つの側方通路を備える、項目２４に記載の減圧治療システム。
（項目３６）
前記配管の外面に密封され、前記少なくとも１つの側方通路を覆う弾性構造をさらに備える、項目３５に記載の減圧治療システム。
（項目３７）
前記弾性構造は、スリーブ構造である、項目３６に記載の減圧治療システム。
（項目３８）
前記弾性構造は、内面によって構成され、該内面は、大気圧に暴露されると前記配管の前記外壁から第１の距離で離間され、減圧に暴露されると該第１の距離よりも短い第２の距離で離間される、項目３７に記載の減圧治療システム。
（項目３９）
前記ポート部材は、弾性材料を備える、項目１７に記載の減圧治療システム。
（項目４０）
前記弾性材料の少なくとも一部は、前記少なくとも１つのポート管腔内の内圧レベルが大気圧よりも少なくとも−５０ｍｍＨｇ低いときに、該少なくとも１つのポート管腔の中へと変形するように構成される、項目３９に記載の減圧治療システム。
（項目４１）
前記カバー構造は、補強構造をさらに備える、項目１７に記載の減圧治療システム。
（項目４２）
前記補強構造は、前記カバー構造と一体的に形成される、項目４１に記載の減圧治療システム。
（項目４３）
前記補強構造は、前記カバー構造の前記上面にあり、前記ポート部材を包囲している第１の隆起構造を備える、項目４２に記載の減圧治療システム。
（項目４４）
前記第１の隆起構造を包囲する第２の隆起をさらに備える、項目４３に記載の減圧治療システム。
（項目４５）
前記第１の隆起構造は、分節隆起構造である、項目４３に記載の減圧治療システム。
（項目４６）
前記補強構造は、カバー構造内に埋設される、項目４１に記載の減圧治療システム。
（項目４７）
前記カバー構造は、カバー材料を備え、前記補強構造は、該カバー材料よりも増加したデュロメータを有する補強材料を備える、項目４１に記載の減圧治療システム。
（項目４８）
前記補強構造は、格子状の補強構造を備える、項目１７に記載の減圧治療システム。
（項目４９）
前記補強構造は、放射状のスポーク構造を備える、項目１７に記載の減圧治療システム。
（項目５０）
前記親水コロイド層の少なくとも一部に解放可能に接着される解放層をさらに備える、項目１７に記載の減圧治療システム。
（項目５１）
前記解放層は、前記親水コロイド層の中心部に解放可能に接着される、項目５０に記載の減圧治療システム。
（項目５２）
前記親水コロイド層の少なくとも周辺部に解放可能に接着され、該親水コロイド層と前記解放層との間に位置する少なくとも１つのハンドル層をさらに備える、項目５１に記載の減圧治療システム。
（項目５３）
前記カバー構造の前記上面に取外し可能に取り付けられる接着剤担体構造をさらに備える、項目５０に記載の減圧治療システム。
（項目５４）
前記接着剤担体構造は、第１の担体層と、第２の担体層と、その間の非直線の界面とを備える、項目５３に記載の減圧治療システム。
（項目５５）
前記接着剤担体構造は、前記ポート部材を包囲する中心開口部を備える、項目５３に記載の減圧治療システム。
（項目５６）
前記中心開口部は、前記ポート部材から離間している、項目５３に記載の減圧治療システム。
（項目５７）
前記中心開口部は、前記ポート部材から少なくとも１ｃｍ離間している、項目５６に記載の減圧治療システム。
（項目５８）
前記親水コロイド層は、前記カバー構造の内部領域付近よりも該カバー構造の前記外縁付近においてより大きいプローブ粘着力を有する、項目１７に記載の減圧治療システム。
（項目５９）
前記親水コロイド層は、前記カバー構造の内部領域付近よりも該カバー構造の前記外縁付近においてより大きい解放力を有する、項目１７に記載の減圧治療システム。
（項目６０）
前記カバー構造に対する前記ポート部材の最大垂直寸法は、該最大垂直寸法を横断する該ポート部材の最大横寸法よりも小さい、項目１７に記載の減圧治療システム。
（項目６１）
前記カバー構造に対する前記ポート部材の最大垂直寸法は、該最大垂直寸法を横断する該ポート部材の最大横寸法よりも少なくとも５０％小さい、項目１７に記載の減圧治療システム。
（項目６２）
前記配管は、一方向逆止弁をさらに備える、項目２４に記載の減圧治療システム。
（項目６３）
皮膚位置の減圧治療を行う方法であって、
皮膚位置にドレッシングを適用することと、
該皮膚位置にマスクを適用することであって、該マスクは、内縁と、外縁とを備える、ことと、
液体シーラントを該ドレッシングおよび該皮膚位置に適用することと、
該皮膚位置から該マスクを除去することと
を含む、方法。
（項目６４）
前記マスクを選択して、前記皮膚位置の縁から該マスクの内縁を離間させることをさらに含む、項目６３に記載の方法。
（項目６５）
前記皮膚位置に接触材料を設置することをさらに含み、該皮膚位置は、開放創である、項目６３に記載の方法。
（項目６６）
前記液体シーラントを前記ドレッシングに適用した後に、該液体シーラント上にメッシュ材料を設置することをさらに含む、項目６３に記載の方法。
（項目６７）
前記皮膚位置から前記マスクを除去した後に、前記液体シーラント上にメッシュ材料を設置することをさらに含む、項目６３に記載の方法。
（項目６８）
前記液体シーラントを適用する前に、前記ドレッシング上にメッシュ材料を設置することをさらに含む、項目６３に記載の方法。